(57)【要約】【課題】被係止体から係止体を取り外す場合に容易に解放することができるスナップフィット結合を提供する。【解決手段】係止体Ｍから被係止体Ｎを取り外すときは、被係止体Ｎを係止体Ｍに対して、係合穴１１の下方が上がり挿入係止片１の挿入先端２側が下がる方向に回動させる。これにより、係合突部５及び三角形状の傾斜面５ａの傾斜面７と開口縁１２との摺接部位が、該挿入係止片１に連続する部位７ａから突出度の大きい部位に順次移行する。この摺接部位の移行により挿入係止片１が撓んで、係合突部５及び５ａが次第に開口縁１２から離れ、両者の係合が外れてスナップフィット結合Ｌを解放できる。【選択図】図１
2005256973.tif 000002
【特許請求の範囲】
【請求項１】
係止体に、先端部の側面に係合突部を一体形成した挿入係止片を形成し、該挿入係止片を撓ませて、被係止体に形成した前記係合突部が通過可能な係合穴に挿入するとともに、前記係合突部が係合穴を通過したとき撓んだ挿入係止片が復帰することにより、該係合穴の開口縁に前記係合突部を係合させて前記係止体に被係止体を着脱可能に係止するスナップフィット結合において、
前記係合突部には、前記係合穴の開口縁に係合する係合突部から該開口縁側に向って突出度を漸次低くして前記挿入係止片の側面に連続する傾斜面を形成するとともに、前記係合穴を該係合穴内で前記挿入係止片が回動できる大きさに形成して、
該挿入係止片の前記係合穴内での回動により、前記傾斜面と開口縁との摺接部位を挿入係止片の側面に連続する部位から順次突出度の大きい部位に移行させ、前記挿入係止片を撓ませて前記係合突部と前記開口縁との係合が外れるように構成したことを特徴とするスナップフィット結合。
【発明の詳細な説明】
【技術分野】
【０００１】
本発明は、係止体に被係止体を着脱可能に係止するスナップフィット結合に関するものである。
【背景技術】
【０００２】
特開２００２−２２７８１４号公報には、修理や廃棄時に容易に解放できるようにしたスナップフィット結合が開示されている。図５に示すようにこのスナップフィット結合は、係止体ａに係合突部ｂを一体形成した挿入係止片ｃを形成し、該挿入係止片ｃを撓ませて、被係止体ｄに形成した前記係合突部ｂが通過可能な係合穴ｅに挿入するとともに、該係合突部ｂが係合穴ｅを通過したとき撓んだ挿入係止片ｃが復帰することにより、該係合穴ｅの開口縁ｆに係合突部ｂを係合させて、被係止体ｄに係止体ａを着脱可能に係止するものである。
【０００３】
しかしながら、上記のスナップフィット結合を解放するには、一対の挿入係止片ｃの一方に形成した連結片ｇを他方の挿入係止片ｃに連結したり、別個に形成した連結片を挿入係止片ｃ間に装着したりして、該挿入係止片ｃ間の間隔を強制的に狭める作業が必要となり面倒である。また、壁面に固定した被係止体に係止体を係止するように、いわゆる係合突部を裏側から操作できない場合は、一端係止した係止体を後になって取り外す場合には、被係止体を壁面から取り外さなければならないという問題点がある。
【特許文献１】特開２００２−２２７８１４号公報
【発明の開示】
【発明が解決しようとする課題】
【０００４】
解決しようとする問題点は、係止体から被係止体を取り外す場合に容易に解放することができるスナップフィット結合を提供することである。
【課題を解決するための手段】
【０００５】
上記問題点を解決するための本発明のスナップフィット結合は、係止体に、先端部の側面に係合突部を一体形成した挿入係止片を形成し、該挿入係止片を撓ませて、被係止体に形成した前記係合突部が通過可能な係合穴に挿入するとともに、前記係合突部が係合穴を通過したとき撓んだ挿入係止片が復帰することにより、該係合穴の開口縁に前記係合突部を係合させて前記係止体に被係止体を着脱可能に係止するスナップフィット結合において、前記係合突部には、前記係合穴の開口縁に係合する係合突部から該開口縁側に向って突出度を漸次低くして前記挿入係止片の側面に連続する傾斜面を形成するとともに、前記係合穴を該係合穴内で前記挿入係止片が回動できる大きさに形成して、該挿入係止片の前記係合穴内での回動により、前記傾斜面と開口縁との摺接部位を挿入係止片の側面に連続する部位から順次突出度の大きい部位に移行させ、前記挿入係止片を撓ませて前記係合突部と前記開口縁との係合が外れるように構成したことを特徴とする。
【発明の効果】
【０００６】
上記構成のスナップフィット結合によれば、係合穴の開口縁に係合する係合突部から該開口縁側に向って突出度を漸次低くして挿入係止片の側面に連続する傾斜面を形成するとともに、係合穴を該係合穴内で挿入係止片が回動できる大きさに形成し、該挿入係止片の該係合穴内での回動により、傾斜面と開口縁との摺接部位を挿入係止片の側面に連続する部位から順次突出度の大きい部位に移行させる。これにより、挿入係止片が撓んで係合突部と開口縁との係合が外れ、スナップフィット結合が解放される。従って、係合穴の開口内で挿入係止片が回動するように、被係止体を係止体上で回動させるだけで被係止体を簡単に取り外すことができる。
【発明を実施するための最良の形態】
【０００７】
係止体から被係止体を取り外す場合に、容易に解放することができるスナップフィット結合を提供するという目的を、係合穴の開口縁に係合する係合突部から該開口縁側に向って突出度を漸次低くして挿入係止片の側面に連続する傾斜面を形成するとともに、係合穴を該係合穴内で挿入係止片が回動できる大きさに形成して、該挿入係止片の該係合穴内での回動により、傾斜面と開口縁との摺接部位を挿入係止片の側面に連続する部位から順次突出度の大きい部位に移行させ、挿入係止片を撓ませて係合突部と開口縁との係合が外れる構成とすることにより実現した。
【実施例】
【０００８】
本発明の実施例について図面を参照して説明する。図１は本実施例に係るスナップフィット結合Ｌを構成する挿入係止片１と係合穴１１の係合関係を示した斜視図である。挿入係止片１は、係止体Ｍから突出する板状に形成されている。挿入係止片１には、挿入先端２に向う途中に係合突部３が形成されている。係合突部３には、挿入係止片１の側面４に、後述する係合穴１１の縦方向の開口縁１２に係合する垂直な係合面５が形成されている。係合突部３の上面６の形状は、挿入先端２に向って先細り形状に形成されている。
【０００９】
そして、係合突部３の係合面５の途中からは、突出度を漸次低くして前記挿入係止片１の側面４に連続する三角形状の係合面５ａが形成されている。その三角形状の係合面５ａの稜５ｂから挿入先端２に向っては、同じ割合で突出度を漸次低くして挿入係止片１の側面４に連続する傾斜面７が形成されている。該傾斜面７は、係合突部３の先細り形状の上面６から下がる傾斜面８にも連続している。
【００１０】
一方、係合穴１１は被係止体Ｎに形成されている。係合穴１１は、縦長の長方形に形成されている。その幅寸法ｗは、挿入係止時に挿入係止片１が撓んで係合突部５が通過できる寸法に形成されている。また、係合穴１１の縦寸法ｈは、該係合穴１１内で挿入係止片１が回動できるように、挿入係止片１の縦寸法よりも大きな寸法に形成されている。
【００１１】
上記したスナップフィット結合Ｌは、挿入係止片１を係合穴１１に挿入すると、係合突部３が係合穴１１を通過する際に、該挿入係止片１が開口縁１２から離れる方向に撓む。係合突部３が係合穴１１を通過すると、撓んだ挿入係止片１が復帰し係合穴１１の開口縁１２に係合突部３の係合面５及び５ａを係合させて、係止体Ｍに被係止体Ｎを係止するものである。
【００１２】
そして、係止体Ｍから被係止体Ｎから取り外すときは、被係止体Ｎを係止体Ｍに対して係合穴１１の下方が上がり、相対的に挿入係止片１の挿入先端２側が下がる方向に回動させる。これにより、係合突部５及び三角形状の傾斜面５ａの傾斜面７と開口縁１２との摺接部位が、該挿入係止片１の側面４の下端に連続する部位７ａから突出度の大きい部位に順次移行する。この摺接部位の移行により挿入係止片１が撓んで、係合突部５及び５ａが次第に開口縁１２から離れ、両者の係合が外れてスナップフィット結合Ｌを解放できる。
【００１３】
図２は、本実施例のスナップフィット結合Ｌを適用した監視カメラ装置２１の断面図、図３は図２に於けるＡ矢視図である。監視カメラ装置２１は、係止体である取り付け用ベース２２と、被係止体である取り付け用ブラケット２３及びこれに装着された監視カメラ２４とから構成される。取り付け用ベース２２は、壁面若しくは天井面等の取り付け面２５に緩衝材（スポンジ）２６を介して固定されている。取り付け用ベース２２の取り付け面２７には、長手方向の一方に片寄った位置に、板状に突出する一対の挿入係止片１が形成されている。また、取り付け用ベース２２には、前面を囲む嵌合突条２８が形成されている。
【００１４】
一方、取り付け用ブラケット２３には、前記一対の挿入係止片１が挿入される一対の係合穴１１が形成されている。該挿入係止片１及び係合穴１１の構造は、前記図１の説明で明らかにした通りである。取り付け用ブラケット２３のカメラ装着部２９には、監視カメラ２４が締着ネジ３０により装着されている。そして、取り付け用ブラケット２３には、裏面を囲む嵌合凹溝３１が形成されている。取り付け用ベース２２への取り付け用ブラケット２３の取り付けは、係合穴１１と挿入係止片１の係合突部３との係合であるスナップフィット結合Ｌと、嵌合突条２８と嵌合凹溝３１との嵌め合いにより行われる。
【００１５】
取り付け用ベース２２から取り付け用ブラケット２３を取り外すには、取り付け用ブラケット２３の下方部を手前に引いて、係合穴１１の下方が上がる（相対的に挿入係止片１の挿入先端２側が下がる）ように、図２に於いて時計方向に回動させる。これにより、両方の挿入係止片１が各係合穴１１内で相対回動して、上記図１の説明で明らかにした作動により、係合突部５及び５ａが次第に開口縁１２から離れて、両者の係合が外れスナップフィット結合Ｌを解放でき、取り付け用ベース２２から取り付け用ブラケット２３を簡単に外すことができる（図４（ａ），（ｂ）参照）。
【００１６】
尚、取り付け用ベース２２から取り付け用ブラケット２３を、真っ直ぐ手前に引いても上記スナップフィット結合Ｌを解放することはできない。
【図面の簡単な説明】
【００１７】
【図１】挿入係止片と係合穴の係合関係を示した斜視図である。
【図２】本実施例のスナップフィット結合を適用した監視カメラ装置の断面図である。
【図３】図２に於けるＡ矢視図である。
【図４】取り付け用ベースから取り付け用ブラケットを取り外す際の作動を示した断面図である。
【図５】従来例を示した斜視図である。
【符号の説明】
【００１８】
Ｌ...スナップフィット結合
Ｍ...係止体
Ｎ...被係止体
１...挿入係止片
２...挿入先端
３...係合突部
４...側面
５，５ａ...係合面
７...傾斜面
１１...係合穴
１２...開口縁  
【図１】
2005256973.tif 000003
【図２】
2005256973.tif 000004
【図３】
2005256973.tif 000005
【図４】
2005256973.tif 000006
【図５】
2005256973.tif 000007